(57)【要約】  第１色空間における第１の色を示す第１の色情報を、色覚のタイプと色覚の度合いを示す色覚強度とに応じて第１色空間と異なる反対色空間である第２色空間における第２の色情報に変換し、変換した第２の色情報に対して所定の色差を有する第３の色情報を第２色空間で算出し、算出した第３の色情報を、色覚のタイプと色覚の度合いを示す色覚強度とに応じて第１色空間における第２の色を示す第４の色情報に変換する処理をコンピュータに実行させる。
2018207675.tif 000002
【特許請求の範囲】
【請求項１】
第１色空間における第１の色を示す第１の色情報を、色覚のタイプと色覚の度合いを示す色覚強度とに応じて前記第１色空間と異なる反対色空間である第２色空間における第２の色情報に変換し、
変換した前記第２の色情報に対して所定の色差を有する第３の色情報を前記第２色空間で算出し、
算出した前記第３の色情報を、色覚のタイプと色覚の度合いを示す色覚強度とに応じて前記第１色空間における第２の色を示す第４の色情報に変換する
処理をコンピュータに実行させる色処理プログラム。
【請求項２】
請求項１に記載の色処理プログラムにおいて、
前記第１の色と前記第２の色とが異なるか否かの被験者による判定の結果を示す判定情報を取得する処理をさらに有し、
前記第４の色情報に変換する処理は、前記判定情報に応じて前記色覚強度を変化させて前記第３の色情報を前記第４の色情報に変換する
ことを特徴とする色処理プログラム。
【請求項３】
請求項１または請求項２に記載の色処理プログラムにおいて、
前記第３の色情報を算出する処理は、前記第２の色情報に含まれる複数の成分のうち少なくとも１つの成分を変化させて、前記第３の色情報を算出することを特徴とする色処理プログラム。
【請求項４】
請求項１ないし請求項３のいずれか１項に記載の色処理プログラムにおいて、
前記第２色空間は、ＡＴＤ空間であることを特徴とする色処理プログラム。
【請求項５】
請求項４に記載の色処理プログラムにおいて、
前記第３の色情報を算出する処理は、前記第２の色情報に含まれるＡ成分、Ｔ成分及びＤ成分のうち、少なくともＴ成分又はＤ成分を変化させて、前記第３の色情報を算出することを特徴とする色処理プログラム。
【請求項６】
第１色空間における第１の色を示す第１の色情報を、色覚のタイプと色覚の度合いを示す色覚強度とに応じて前記第１色空間と異なる反対色空間である第２色空間における第２の色情報に変換し、
変換した前記第２の色情報に対して所定の色差を有する第３の色情報を前記第２色空間で算出し、
算出した前記第３の色情報を、色覚のタイプと色覚の度合いを示す色覚強度とに応じて前記第１色空間における第２の色を示す第４の色情報に変換する
ことを特徴とする色処理方法。
【請求項７】
請求項６に記載の色処理方法において、
前記第２色空間は、ＡＴＤ空間であることを特徴とする色処理方法。
【請求項８】
第１色空間における第１の色を示す第１の色情報を、色覚のタイプと色覚の度合いを示す色覚強度とに応じて前記第１色空間と異なる反対色空間である第２色空間における第２の色情報に変換し、変換した前記第２の色情報に対して所定の色差を有する第３の色情報を前記第２色空間で算出し、算出した前記第３の色情報を、色覚のタイプと色覚の度合いを示す色覚強度とに応じて前記第１色空間における第２の色を示す第４の色情報に変換する処理を実行する処理装置と、
前記第１の色と前記第２の色とを対比して出力する出力装置と、
被験者による前記第１の色と前記第２の色との比較の判定の結果を受け付ける入力装置と
を備えることを特徴とする色彩感覚検査システム。
【請求項９】
請求項８に記載の色彩感覚検査システムにおいて、
前記第２色空間がＡＴＤ空間であることを特徴とする色彩感覚検査システム。
【請求項１０】
第１色空間における第１の色を示す第１の色情報を、色覚の第１のタイプと色覚の度合いを示す第１の色覚強度とに応じて前記第１色空間と異なる反対色空間である第２色空間における第２の色情報に変換し、色覚の第２のタイプと第２の色覚強度とに応じて、前記第２の色情報を前記第１色空間における第２の色を示す第３の色情報に変換する処理を実行する処理装置と、
前記第１の色の代わりに前記第２の色を出力する出力装置と
を備えることを特徴とする出力システム。
【請求項１１】
請求項１０に記載の出力システムにおいて、
１）前記第１のタイプと前記第２のタイプとは異なり、前記第１の色覚強度と前記第２の色覚強度とは異なるか、２）前記第１のタイプと前記第２のタイプとは同じで、前記第１の色覚強度と前記第２の色覚強度とは異なるか、または、３）前記第１のタイプと前記第２のタイプとは異なり、前記第１の色覚強度と前記第２の色覚強度とは同じであることを特徴とする出力システム。
【請求項１２】
請求項１０または請求項１１に記載の出力システムにおいて、
前記第１のタイプおよび前記第１の色覚強度、または前記第２のタイプおよび前記第２の色覚強度は、正常色覚者を示す情報が用いられることを特徴とする出力システム。
【請求項１３】
請求項１０ないし請求項１２のいずれか１項に記載の出力システムにおいて、
前記第１のタイプおよび前記第１の色覚強度、または前記第２のタイプおよび前記第２の色覚強度は、請求項８または請求項９に記載の色彩感覚検査システムを用いて色彩感覚を検査された前記被験者を示す情報である
ことを特徴とする出力システム。
【請求項１４】
請求項１０ないし請求項１４のいずれか１項に記載の出力システムにおいて、
前記第２色空間がＡＴＤ空間であることを特徴とする出力システム。
【請求項１５】
請求項１０ないし請求項１４のいずれか１項に記載の出力システムを備えることを特徴とする色覚補正画像処理システム。
【請求項１６】
請求項１０ないし請求項１４のいずれか１項に記載の出力システムを備えることを特徴とする色覚シミュレーション画像処理システム。
【発明の詳細な説明】
【技術分野】
【０００１】
本発明は、色処理プログラム、色処理方法、色彩感覚検査システム、出力システム、色覚補正画像処理システムおよび色覚シミュレーション画像処理システムに関する。
【背景技術】
【０００２】
ＬＣＤ（Liquid Crystal Display）等のディスプレイに表示する画像の色や紙等の素材に印刷する色に対し、色覚障害者に応じて色処理を実行する技術が提案されている。【０００３】
例えば、色覚のタイプに応じた色覚のレベルの人数分布に基づいて色覚パラメータを算出し、算出した色覚パラメータから複数の色変換テーブルのうちの１つを選択し、選択した色変換テーブルを用いて画像に対して色変換を実行する技術が提案されている（例えば、特許文献１参照）。
【先行技術文献】
【特許文献】
【０００４】
【特許文献１】特開２０１４−１６０３９１号公報
【発明の概要】
【発明が解決しようとする課題】
【０００５】
従来は、人数分布のうち人数が最も多い色覚のレベル等のように、１つの色覚のレベルを基準にして色変換を実行している。しかしながら、色覚は個人差の幅が大きいため、従来では、全ての色覚のタイプと色覚のレベルとに応じて色変換を実行することが困難である。【０００６】
本発明は、色覚のタイプと色覚のレベルとに応じて色処理を実行することができる色処理プログラム、色処理方法、色彩感覚検査システム、出力システム、色覚補正画像処理システムおよび色覚シミュレーション画像処理システムを提供することを目的とする。
【課題を解決するための手段】
【０００７】
第１の発明は、第１色空間における第１の色を示す第１の色情報を、色覚のタイプと色覚の度合いを示す色覚強度とに応じて第１色空間と異なる反対色空間である第２色空間における第２の色情報に変換し、変換した第２の色情報に対して所定の色差を有する第３の色情報を第２色空間で算出し、算出した第３の色情報を、色覚のタイプと色覚の度合いを示す色覚強度とに応じて第１色空間における第２の色を示す第４の色情報に変換する処理をコンピュータに実行させることを特徴とする色処理プログラムである。【０００８】
第２の発明は、第１の発明において、第１の色と第２の色とが異なるか否かの被験者による判定の結果を示す判定情報を取得する処理をさらに有し、第４の色情報に変換する処理は、判定情報に応じて色覚強度を変化させて第３の色情報を第４の色情報に変換することを特徴とする色処理プログラムである。【０００９】
第３の発明は、第１の発明または第２の発明において、第３の色情報を算出する処理は、第２の色情報に含まれる複数の成分のうち少なくとも１つの成分を変化させて、第３の色情報を算出することを特徴とする色処理プログラムである。【００１０】
第４の発明は、第１の発明ないし第３の発明のいずれかにおいて、第２色空間は、ＡＴＤ空間であることを特徴とする色処理プログラムである。【００１１】
第５の発明は、第４の発明において、第３の色情報を算出する処理は、第２の色情報に含まれるＡ成分、Ｔ成分及びＤ成分のうち、少なくともＴ成分又はＤ成分を変化させて、第３の色情報を算出することを特徴とする色処理プログラムである。【００１２】
第６の発明は、第１色空間における第１の色を示す第１の色情報を、色覚のタイプと色覚の度合いを示す色覚強度とに応じて第１色空間と異なる反対色空間である第２色空間における第２の色情報に変換し、変換した第２の色情報に対して所定の色差を有する第３の色情報を第２色空間で算出し、算出した第３の色情報を、色覚のタイプと色覚の度合いを示す色覚強度とに応じて第１色空間における第２の色を示す第４の色情報に変換することを特徴とする色処理方法である。【００１３】
第７の発明は、第６の発明において、第２色空間は、ＡＴＤ空間であることを特徴とする色処理方法である。【００１４】
第８の発明は、第１色空間における第１の色を示す第１の色情報を、色覚のタイプと色覚の度合いを示す色覚強度とに応じて第１色空間と異なる反対色空間である第２色空間における第２の色情報に変換し、変換した第２の色情報に対して所定の色差を有する第３の色情報を第２色空間で算出し、算出した第３の色情報を、色覚のタイプと色覚の度合いを示す色覚強度とに応じて第１色空間における第２の色を示す第４の色情報に変換する処理を実行する処理装置と、第１の色と第２の色とを対比して出力する出力装置と、被験者による第１の色と第２の色との比較の判定の結果を受け付ける入力装置とを備えることを特徴とする色彩感覚検査システムである。【００１５】
第９の発明は、第８の発明において、第２色空間がＡＴＤ空間であることを特徴とする色彩感覚検査システムである。【００１６】
第１０の発明は、第１色空間における第１の色を示す第１の色情報を、色覚の第１のタイプと色覚の度合いを示す第１の色覚強度とに応じて第１色空間と異なる反対色空間である第２色空間における第２の色情報に変換し、色覚の第２のタイプと第２の色覚強度とに応じて、第２の色情報を第１色空間における第２の色を示す第３の色情報に変換する処理を実行する処理装置と、第１の色の代わりに第２の色を出力する出力装置とを備えることを特徴とする出力システムである。【００１７】
第１１の発明は、第１０の発明において、１）第１のタイプと第２のタイプとは異なり、第１の色覚強度と第２の色覚強度とは異なるか、２）第１のタイプと第２のタイプとは同じで、第１の色覚強度と第２の色覚強度とは異なるか、または、３）第１のタイプと第２のタイプとは異なり、第１の色覚強度と第２の色覚強度は同じであることを特徴とする出力システムである。【００１８】
第１２の発明は、第１０の発明または第１１の発明において、第１のタイプおよび第１の色覚強度、または第２のタイプおよび第２の色覚強度は、正常色覚者を示す情報が用いられることを特徴とする出力システムである。【００１９】
第１３の発明は、第１０の発明ないし第１２の発明のいずれかにおいて、第１のタイプおよび第１の色覚強度、または第２のタイプおよび第２の色覚強度は、第８の発明または第９の発明の色彩感覚検査システムを用いて色彩感覚を検査された被験者を示す情報であることを特徴とする出力システムである。【００２０】
第１４の発明は、第１０の発明ないし第１３の発明のいずれかにおいて、第２色空間がＡＴＤ空間であることを特徴とする出力システムである。【００２１】
第１５の発明は、第１０の発明ないし第１４の発明のいずれかの出力システムを備えることを特徴とする色覚補正画像処理システムである。【００２２】
第１６の発明は、第１０の発明ないし第１４の発明のいずれかの出力システムを備えることを特徴とする色覚シミュレーション画像処理システムである。【００２３】
本発明は、色覚のタイプと色覚のレベルとに応じて色処理を実行することができる。
【図面の簡単な説明】
【００２４】
【図１】色処理装置の一実施形態を示す図である。
【図２】人における色覚の原理の一例を示す図である。
【図３】図１に示した色処理装置における色処理の一例を示す図である。
【図４】色処理装置の別の実施形態を示す図である。
【図５】図４に示した色処理装置における色処理の一例を示す図である。
【図６】図５に示した出力装置における参照色と試験色との表示の一例を示す図である。
【図７】色処理装置の別の実施形態を示す図である。
【図８】図７に示した色処理装置における色処理の一例を示す図である。
【発明を実施するための形態】
【００２５】
以下、図面を用いて実施形態について説明する。
【００２６】
図１は、色処理装置の一実施形態を示す。
【００２７】
図１に示した色処理装置１００は、例えば、ＣＰＵ（Central Processing Unit）等の演算処理装置と、ハードディスク装置等の記憶装置とを有するコンピュータ装置である。また、色処理装置１００は、有線または無線を介して、入力装置２００および出力装置３００に接続される。
【００２８】
入力装置２００は、例えば、マウス、キーボードやタッチパネル等であり、色処理装置１００を操作する人から入力指示を受け付け、受け付けた入力指示を色処理装置１００に出力する。
【００２９】
出力装置３００は、例えば、ディスプレイやプリンタ等であり、色処理装置１００により処理された画像等のデータを表示または印刷する。
【００３０】
色処理装置１００は、コンピュータ装置の演算処理装置が記憶装置に記憶される色処理プログラムを実行することにより、第１変換部１０、算出部２０および第２変換部３０として動作する。
【００３１】
第１変換部１０は、色覚のタイプと色覚の度合いを示す色覚強度とに応じて、入力装置２００を介して入力された色を示すＸＹＺ表色系の三刺激値を、人間の視神経層の色空間を示すＡＴＤ色空間におけるＡ成分、Ｔ成分およびＤ成分（以下、“ＡＴＤ成分”とも称される）に変換する。なお、ＡＴＤ色空間は、明度座標Ａと反対色座標ＴおよびＤとから成る３次元空間である。また、第１変換部１０の色覚のタイプおよび色覚強度は、入力装置２００を用いて予め設定されてもよく、入力装置２００を介して色の三刺激値とともに入力されてもよい。第１変換部１０の動作については、図２で説明する。
【００３２】
なお、色覚のタイプおよび色覚強度は、入力装置２００を介して、色の三刺激値とともに入力されてもよく、予め設定されてもよい。また、入力される色は、ＸＹＺ表色系に限定されず、ｓＲＧＢ表色系、Ｌ＊ａ＊ｂ＊表色系やＬ＊ｕ＊ｖ＊表色系等のデータでもよい。
【００３３】
算出部２０は、第１変換部１０により変換されたＡＴＤ成分に対して所定の色差を有するＡＴＤ色空間のＡＴＤ成分を算出する。なお、所定の色差は、色処理装置１００の適用先に応じて適宜決定されることが好ましい。例えば、色処理装置１００が入力装置２００および出力装置３００と協働して色彩感覚検査システムとして動作する場合、所定の色差は、“１”等の値に設定される。また、色覚のタイプと色覚強度とに応じた色覚をシミュレーションする色覚シミュレーション画像処理システムとして、色処理装置１００が入力装置２００および出力装置３００と協働する場合、所定の色差は、“０”の値に設定される。また、出力装置３００に表示または印刷する画像や地図等を色覚のタイプおよび色覚強度に応じて配色等を調整する出力システムまたは色覚補正画像処理システムとして、色処理装置１００が入力装置２００および出力装置３００と協働する場合、所定の色差は、“０”の値に設定される。
【００３４】
なお、所定の色差が“０”に設定される場合、算出部２０は、省略されてもよい。算出部２０の動作については、図３で説明する。
【００３５】
第２変換部３０は、第１変換部１０と異なる色覚のタイプと色覚強度とに応じて、算出部２０により算出されたＡＴＤ成分をＸＹＺ表色系の三刺激値に変換する。なお、第２変換部３０の色覚のタイプおよび色覚強度は、入力装置２００を用いて予め設定されてもよく、入力装置２００を介して色の三刺激値とともに入力されてもよい。
【００３６】
そして、色処理装置１００は、第２変換部３０により変換された三刺激値を出力装置３００に応じたｓＲＧＢ等の色調整を実行し、出力装置３００に出力する。
【００３７】
図２は、人における色覚の原理の一例を示す。図２は、例えば、S.L. Guth, R.W. Massof, and T. Benzschawel, "Vector model for normal and dichromatic color vision", J. Opt. Soc. Am., 70, pp.197-212 (1980)の色覚モデル（以下、“グースの色覚モデル”とも称される）を示す。
【００３８】
図２に示すように、人の目は、互いに異なる光の波長に感度を有する３つのＬ錐体、Ｍ錐体およびＳ錐体を網膜に有し、入射する光を検出する。Ｌ錐体は、黄緑から赤の波長付近の光に感度を有し、Ｍ錐体は、緑から橙の波長付近の光に感度を有し、Ｓ錐体は、紫から青の波長付近の光に感度を有する。Ｌ錐体、Ｍ錐体およびＳ錐体は、検出した光の強度に応じた信号をそれぞれ出力する。
【００３９】
グースの色覚モデルでは、目の神経節細胞は、Ｌ錐体、Ｍ錐体およびＳ錐体の各々から出力された信号を用いて、ＡＴＤ色空間のＡＴＤ成分を算出する。例えば、神経節細胞は、Ｌ錐体が検出した光の強度とＭ錐体が検出した光の強度とを足し合わせた値、すなわち光の明るさをＡ成分として算出する。また、神経節細胞は、Ｌ錐体が検出した光の強度からＭ錐体が検出した光の強度を差分した値をＴ成分として算出する。また、神経節細胞は、Ｓ錐体が検出した光の強度からＬ錐体とＭ錐体とが検出した光の強度を差し引いた値をＤ成分として算出する。そして、神経節細胞は、算出したＡ成分を輝度信号として、Ｄ成分およびＴ成分を色信号として脳に出力する。そして、脳は、受信したＡＴＤ成分に基づいて見ている対象物の色および明るさを認識する。
【００４０】
なお、Ｌ錐体、Ｍ錐体およびＳ錐体のうち少なくとも１つの錐体が欠落している、または正常に機能しない場合がある。例えば、Ｌ錐体が欠落または正常に機能していない人は、赤と緑との識別が困難な１型２色覚または１型３色覚と分類される。また、Ｍ錐体が欠落または正常に機能していない人は、赤と緑との識別が困難な２型２色覚または２型３色覚と分類される。また、Ｓ錐体が欠落または正常に機能していない人は、青と黄色との識別が困難な３型２色覚または３型３色覚と分類される。以下では、１型２色覚および１型３色覚は、“Ｐ（Protanope）型色覚”、２型２色覚および２型３色覚は、“Ｄ（Deuteranope）型色覚”、３型２色覚および３型３色覚は、“Ｔ（Tritanope）型色覚”とも称される。
【００４１】
図１に示した色処理装置１００では、グースの色覚モデルに基づいて、ＸＹＺ表色系の三刺激値ＸＹＺとＡＴＤ色空間のＡＴＤ成分とが、式（１）のように関係付けられる。
【００４２】
【数１】
2018207675.tif 000003
【００４３】
なお、三刺激値Ｘ’Ｙ’Ｚ’は、Ｊｕｄｄ変換した三刺激値ＸＹＺを示す。Ｍは、三刺激値Ｘ’Ｙ’Ｚ’をＬＭＳ色空間の三刺激値ＬＭＳに変換する３×３行列であり、例えば、式（２）のように表される。
【００４４】
【数２】
2018207675.tif 000004
【００４５】
Ｋは、例えば、ｖｏｎ  Ｋｒｉｅｓの色順応理論に基づくＤ６５等の白色照明光における白色補正を実行する３×３行列である。Ｈは、視神経層と反対色応答への変換を行う３×３行列であり、例えば、輝度を示すＡ成分とＹ成分とが互いに比例するように、色覚のタイプ毎に定義された式（３）から式（６）が用いられる。
【００４６】
【数３】
2018207675.tif 000005
【００４７】
なお、各色覚のタイプのＨは、式（３）から式（６）に示した成分を有する行列に限定されず、色処理装置１００が適用される状況に応じて適宜決定されることが好ましい。
【００４８】
また、ｍは、種々の視知覚現象に対応させて調整する係数であり、閾上レベルでの明るさの知覚現象に対応するように、例えば、式（７）のように表される３×３行列である。
【００４９】
【数４】
2018207675.tif 000006
【００５０】
なお、式（４）から式（６）に示したＰ型色覚のＨP、Ｄ型色覚のＨDおよびＴ型色覚のＨTの各々は、Ｌ錐体、Ｍ錐体またはＳ錐体が欠落している、すなわち色覚の症状が最も重い場合のＨである。しかしながら、色覚の症状は、各錐体が欠落または正常に機能していない程度に応じて変化するため個人差が大きい。このため、Ｐ型色覚、Ｄ型色覚またはＴ型色覚の人に対して、式（３）から式（６）のうちのいずれかのＨを適用したとしても、全ての色覚における見え方を再現することは困難である。
【００５１】
そこで、全ての色覚における見え方を再現するために、Ｐ型色覚、Ｄ型色覚およびＴ型色覚におけるＨを、式（８）から式（１０）のように定義する。
Ｈ＝ｋPＨP＋（１−ｋP）ＨC  …（８）
Ｈ＝ｋDＨD＋（１−ｋD）ＨC  …（９）
Ｈ＝ｋTＨT＋（１−ｋT）ＨC  …（１０）
なお、ｋP、ｋDおよびｋTは、Ｐ型色覚、Ｄ型色覚およびＴ型色覚の各々の色覚強度を示し、０から１の範囲の値に設定される。すなわち、式（８）から式（１０）が示すように、Ｐ型色覚、Ｄ型色覚およびＴ型色覚の各々の色覚は、Ｌ錐体、Ｍ錐体またはＳ錐体が欠落したＰ型色覚、Ｄ型色覚またはＴ型色覚と正常色覚者の色覚との加重加算で表す。
【００５２】
図３は、図１に示した色処理装置１００における色処理の一例を示す。図３に示した処理は、色処理装置１００が色処理プログラムを実行することにより実現される。すなわち、図３は、色処理プログラムおよび色処理方法の一実施形態を示す。なお、図３に示した処理は、色処理装置１００に搭載されるハードウェアにより実現されてもよい。この場合、図１に示した第１変換部１０、算出部２０および第２変換部３０は、色処理装置１００に配置される回路により実現される。
【００５３】
ステップＳ１００では、第１変換部１０は、処理対象の色（以下、“対象色”とも称される）を示すＸＹＺ表色系の三刺激値ＸＹＺを、入力装置２００を介して取得する。
【００５４】
次に、ステップＳ１１０では、第１変換部１０は、ステップＳ１００で取得した対象色の三刺激値ＸＹＺをＪｕｄｄ変換し、Ｊｕｄｄ変換した三刺激値Ｘ’Ｙ’Ｚ’を求める。そして、第１変換部１０は、色覚のタイプと色覚強度とに応じて式（８）から式（１０）のいずれかの式と、式（１）とを用いて、Ｊｕｄｄ変換した対象色の三刺激値Ｘ’Ｙ’Ｚ’をＡＴＤ色空間のＡＴＤ成分に変換する。
【００５５】
なお、第１変換部１０は、対象色の三刺激値ＸＹＺをＡＴＤ成分に変換するにあたり、対象色の三刺激値ＸＹＺをＪｕｄｄ変換したが、Ｊｕｄｄ変換を省略してもよい。
【００５６】
次に、ステップＳ１２０では、算出部２０は、ステップＳ１１０で変換された対象色のＡＴＤ成分を基準にして、所定の色差を有するＡＴＤ成分を算出する。
【００５７】
ここで、ＡＴＤ色空間における２つのＡＴＤ成分（Ａ１，Ｔ１，Ｄ１）、（Ａ２，Ｔ２，Ｄ２）間の色差ΔＥは、式（１１）のように、２つのＡＴＤ成分間の測地線に沿った積分により求められる。
【００５８】
【数５】
2018207675.tif 000007
【００５９】
ｄＥは、測地線上の微小距離を示し、（ｄＡ2＋ｄＴ2＋ｄＤ2）1/2／ｒで表される。ｒ1およびｒ2は、ＡＴＤ成分（Ａ１，Ｔ１，Ｄ１）のベクトルおよびＡＴＤ成分（Ａ２，Ｔ２，Ｄ２）のベクトルの長さを示す。ｒは、原点（０，０，０）からＡＴＤ成分（Ａ，Ｔ，Ｄ）までの距離を示す。θは、ＡＴＤ成分（Ａ１，Ｔ１，Ｄ１）のベクトルとＡＴＤ成分（Ａ２，Ｔ２，Ｄ２）のベクトルとがなす角（ラジアン）を示す。
【００６０】
そして、式（１１）を閾値で規格化することにより、色差ΔＥは、式（１２）のように表される。なお、Ｗは、Ｗｅｂｅｒ  ｆｒａｃｔｉｏｎであり、０．０１等の値に設定される。
【００６１】
【数６】
2018207675.tif 000008
【００６２】
算出部２０は、ＡＴＤ成分（Ａ１，Ｔ１，Ｄ１）を対象色のＡＴＤ成分とする場合、色差ΔＥが所定の色差（例えば、ΔＥ＝１等）となるＡＴＤ成分（Ａ２，Ｔ２，Ｄ２）を、式（１２）を用いて算出する。
【００６３】
なお、所定の色差が“０”に設定されている場合、ステップＳ１２０の処理は省略されてもよい。
【００６４】
次に、ステップＳ１３０では、第２変換部３０は、ステップＳ１１０と同じ色覚のタイプおよび色覚強度と、式（１）とを用いて、ステップＳ１２０で算出されたＡＴＤ成分（Ａ２，Ｔ２，Ｄ２）をＸＹＺ表色系の三刺激値に変換する。色処理装置１００は、第２変換部３０により変換された三刺激値を出力装置３００に応じたｓＲＧＢ等の色調整を実行し、出力装置３００に出力する。そして、色処理装置１００は、色処理を終了する。
【００６５】
以上、図１から図３に示した実施形態では、色処理装置１００は、Ｐ型色覚、Ｄ型色覚およびＴ型色覚の各々の色覚強度を用いて、Ｐ型色覚、Ｄ型色覚またはＴ型色覚の色覚と正常色覚者の色覚とを加重加算することにより、人の色覚を式（８）から式（１０）で表す。これにより、色処理装置１００は、色覚のタイプと色覚強度とに応じた色処理を、従来と比べて精度良く実行できる。
【００６６】
図４は、色処理装置の別の実施形態を示す。図１で説明した要素と同一または同様の機能を有する要素については、同一または同様の符号を付し、これらについては、詳細な説明を省略する。
【００６７】
図４に示した色処理装置１００Ａは、例えば、ＣＰＵ等の演算処理装置と、ハードディスク装置等の記憶装置とを有するコンピュータ装置である。また、色処理装置１００Ａは、有線または無線を介して、入力装置２００および出力装置３００に接続される。そして、色処理装置１００Ａは、入力装置２００および出力装置３００と協働して、色彩感覚検査システムとして動作する。
【００６８】
色処理装置１００Ａは、コンピュータ装置の演算処理装置が記憶装置に記憶される色処理プログラムを実行することにより、第１変換部１０、算出部２０、第２変換部３０ａおよび制御部４０として動作する。
【００６９】
第１変換部１０は、入力装置２００および制御部４０を介して入力された色のＸＹＺ表色系における三刺激値を、色覚のタイプと色覚強度とに応じてＡＴＤ色空間のＡＴＤ成分に変換する。なお、色処理装置１００Ａが色覚補正画像処理システムとして動作する場合、正常色覚者の色覚を基準にするため、第１変換部１０の色覚のタイプには正常色覚者が設定され、色覚強度ｋP、ｋD、ｋTには正常色覚者を示す“０”が設定される。
【００７０】
算出部２０は、第１変換部１０により変換されたＡＴＤ成分に対して、所定の色差を有するＡＴＤ色空間のＡＴＤ成分を算出する。
【００７１】
第２変換部３０ａは、入力装置２００を介して、予め設定されるＰ型色覚、Ｄ型色覚またはＴ型色覚のタイプと、色彩感覚検査に応じて制御部４０により調整される色覚強度とに基づいて、算出部２０により算出されたＡＴＤ成分をＸＹＺ表色系の三刺激値に変換する。なお、色処理の開始時において、対象者の色覚のタイプおよび色覚強度が不明なため、第２変換部３０ａには、Ｐ型色覚、Ｄ型色覚またはＴ型色覚のいずれかのタイプが設定されるとともに、０から１の範囲における任意の値が色覚強度ｋP、ｋDおよびｋTの初期値として設定される。なお、色処理装置１００Ａが色覚シミュレーション画像処理システムとして動作する場合、正常色覚者の色覚を基準にするため、第２変換部３０ａの色覚のタイプには正常色覚者が設定され、色覚強度ｋP、ｋD、ｋTには正常色覚者を示す“０”が設定される。
【００７２】
制御部４０は、色処理装置１００Ａの各部の動作を制御する。例えば、制御部４０は、入力装置２００から入力される色の三刺激値と、第２変換部３０ａにより変換された色の三刺激値とのデータに出力装置３００に応じたｓＲＧＢ等の色調整を実行する。そして、制御部４０は、色調整したデータを出力装置３００に出力する。また、制御部４０は、入力装置２００からの入力指示に応じて、色覚強度を変化させ、変化させた色覚強度を第２変換部３０ａに出力する。また、制御部４０は、入力装置２００および出力装置３００と、色処理装置１００Ａとの間のデータの送受信を制御する。
【００７３】
図５は、図４に示した色処理装置１００Ａにおける色処理の一例を示す。図５に示した処理は、色処理装置１００Ａが色処理プログラムを実行することにより実現される。すなわち、図５は、色処理プログラムおよび色処理方法の別の実施形態を示す。なお、図５に示した処理は、色処理装置１００Ａに搭載されるハードウェアにより実現されてもよい。この場合、図４に示した第１変換部１０、算出部２０、第２変換部３０ａおよび制御部４０は、色処理装置１００Ａに配置される回路により実現される。
【００７４】
なお、図５に示した処理は、色彩感覚検査がＰ型色覚について検査する場合について説明するが、Ｄ型色覚またはＴ型色覚を検査する場合についても同様である。
【００７５】
ステップＳ２００では、制御部４０は、対象色で色彩感覚検査の基準となる色（以下、“背景色”または“参照色”とも称される）を示すＸＹＺ表色系の三刺激値ＸＹＺを、入力装置２００を介して取得する。制御部４０は、取得した色の三刺激値ＸＹＺを第１変換部１０に出力する。なお、制御部４０は、入力装置２００を介して、参照色の三刺激値ＸＹＺとともに、検査する色覚のタイプを取得してもよい。この場合、制御部４０は、取得した色覚のタイプを第２変換部３０ａに出力する。
【００７６】
次に、ステップＳ２１０では、第１変換部１０は、ステップＳ２００で取得された参照色の三刺激値ＸＹＺをＪｕｄｄ変換して三刺激値Ｘ’Ｙ’Ｚ’を求める。第１変換部１０は、予め設定されたタイプおよび色覚強度の式（８）と、式（１）とを用いて、Ｊｕｄｄ変換した参照色の三刺激値Ｘ’Ｙ’Ｚ’をＡＴＤ色空間のＡＴＤ成分に変換する。
【００７７】
次に、ステップＳ２２０では、算出部２０は、式（１２）を用いて、ステップＳ２１０で変換された参照色のＡＴＤ成分（Ａ１，Ｔ１，Ｄ１）に対して、色差ΔＥが所定の色差となるＡＴＤ成分（Ａ２，Ｔ２，Ｄ２）を算出する。
【００７８】
例えば、算出部２０は、ＡＴＤ成分（Ａ２，Ｔ２，Ｄ２）を算出するために、Ａ１＝Ａ２、Ｄ１＝Ｄ２かつ色差ΔＥ＝１（所定の色差）とする条件において、Ｔ成分を変化させて、色差ΔＥ＝１を満たすｒ2およびθを求める。例えば、式（１２）におけるｒ2およびθを、Ｔ成分を変数とする関数Ｆ（Ｔ）およびＧ（Ｔ）とする。そして、算出部２０は、Ｔ成分を変化させてＳｔｅｆｆｅｎｓｅｎの反復法等の収束計算を実行し、色差ΔＥ＝１を満たすｒ2およびθ、すなわちＴ２を求め、ＡＴＤ成分（Ａ２，Ｔ２，Ｄ２）を算出する。なお、所定の色差は、１以外の値でもよい。
【００７９】
また、色覚のタイプがＤ型色覚の場合、算出部２０は、Ｐ型色覚の場合と同様の条件において、Ｔ成分を変化させて色差ΔＥ＝１を満たすｒ2およびθを求めることが好ましい。
【００８０】
また、色覚のタイプがＴ型色覚の場合、算出部２０は、Ａ１＝Ａ２、Ｔ１＝Ｔ２かつ色差ΔＥ＝１とする条件において、Ｄ成分を変化させて、色差ΔＥ＝１を満たすｒ2およびθを求めることが好ましい。
【００８１】
次に、ステップＳ２３０では、第２変換部３０ａは、Ｐ型色覚のタイプおよび色覚強度ｋPとする式（８）と、式（１）とを用いて、ステップＳ２２０で算出されたＡＴＤ成分（Ａ２，Ｔ２，Ｄ２）をＸＹＺ表色系の三刺激値に変換する。そして、制御部４０は、変換した三刺激値の色を試験色として、参照色の三刺激値と試験色の三刺激値とを出力装置３００に応じたｓＲＧＢ等の色調整を実行し、色調整された参照色および試験色のデータを出力装置３００に出力する。
【００８２】
次に、ステップＳ２４０では、出力装置３００は、参照色および試験色のデータを色処理装置１００Ａから受信し、ＬＣＤ等のディスプレイに参照色と試験色とを対比して表示する。
【００８３】
図６は、図５に示した出力装置３００における参照色と試験色との表示の一例を示す。図６に示すように、出力装置３００は、例えば、色処理装置１００Ａからの制御指示に基づいて、ＬＣＤ等のディスプレイの中心を含む領域ＢＫを背景領域として、網掛けで示した参照色を表示する。また、出力装置３００は、色処理装置１００Ａからの制御指示に基づいて、領域ＢＫのうち４つの領域ＡＲ１−ＡＲ４を設定する。そして、出力装置３００は、４つの領域ＡＲ１−ＡＲ４のうち１つの領域ＡＲ４を試験領域として、参照色とは異なる網掛けで示した試験色ＥＸを表示する。すなわち、出力装置３００は、領域ＡＲ１−ＡＲ３を参照領域として参照色を表示する。
【００８４】
なお、出力装置３００は、領域ＢＫの外側周囲の領域（周辺領域）にグレーや白の周辺色を表示するが、他の色を表示してもよい。また、周辺色は、グレー等の色を有し、対象者が眩しく感じない参照色等と同様の輝度を有することが好ましい。しかしながら、周辺色は、これに限定されず、グレー以外の色でもよく、参照色等と異なる輝度でもよい。
【００８５】
また、試験色ＥＸは、領域ＡＲ１、領域ＡＲ２または領域ＡＲ３のいずれかに表示されてもよく、領域ＡＲ１−ＡＲ４の複数の領域に表示されてもよい。この場合、試験色ＥＸが表示される領域の数は、試験色ＥＸが表示されない領域の数より少ないことが好ましい。また、参照色を表示する領域ＢＫには、４つの領域ＡＲ１−ＡＲ４が設定されたが、２以上の複数の領域が設定されてもよい。また、領域ＡＲ１−ＡＲ４を除く領域ＢＫに表示される色は、参照色と異なってもよく、任意の色でもよく、周辺領域と同じグレーまたは白でもよい。
【００８６】
また、出力装置３００は、所定の幅（例えば、３ピクセル等）を有した枠線で区切って、領域ＡＲ１−ＡＲ４を設定してもよい。これにより、対象者は、領域ＡＲ１−ＡＲ４の各々の色をより正確に弁別できる。
【００８７】
また、出力装置３００は、矩形の領域ＡＲ１−ＡＲ４を設定したが、同じ大きさの任意の形状を有した領域ＡＲ１−ＡＲ４を設定してもよい。
【００８８】
また、出力装置３００は、同じ大きさの領域ＡＲ１−ＡＲ４を互いに離してランダムに配置してもよい。この場合、出力装置３００は、対象者の視野内に入るように領域ＡＲ１−ＡＲ４を配置することが好ましく、各領域ＡＲ１−ＡＲ４間の距離を一定にして領域ＡＲ１−ＡＲ４を配置することが好ましい。しかしながら、出力装置３００は、これに限定されず、領域ＡＲ１−ＡＲ４を配置してもよい。
【００８９】
また、出力装置３００は、領域ＡＲ１−ＡＲ４の各々における参照色と試験色ＥＸとに同じ量のノイズを付加して表示してもよい。これは、色に対する輝度（ＡＴＤ空間のＡ方向）の感覚が対象者によって異なることから、ノイズの付加により輝度を分かり辛くすることで、対象者は、純粋に色を弁別できる。また、出力装置３００は、Ｔ方向の弁別の場合、Ｄ方向またはＡ方向、あるいはＤ方向およびＡ方向にノイズを付加し、Ｄ方向の弁別の場合、Ｔ方向またはＡ方向、あるいはＴ方向およびＡ方向にノイズを付加してもよい。
【００９０】
次に、ステップＳ２５０では、制御部４０は、４つの領域ＡＲ１−ＡＲ４のうち試験色ＥＸが表示された領域を、入力装置２００を用いて対象者に選択させる。そして、制御部４０は、対象者により選択された領域を示すデータを、参照色と試験色とが異なるか否か（すなわち、参照色と試験色とを見分けられるか否か）を示す判定結果として入力装置２００から取得する。
【００９１】
なお、制御部４０が判定結果を取得するにあたり、入力装置２００は、対象者により操作されてもよく、対象者からの返答に応じて色彩感覚検査を行う医療従事者等により操作されてもよい。
【００９２】
次に、ステップＳ２６０では、制御部４０は、ステップＳ２５０で取得された判定結果が正しいか否か（すなわち、図６の場合において、試験色が表示された領域ＡＲ４が選択されたか否か）を判定する。判定結果が正しい場合、色処理装置１００Ａの処理は、ステップＳ２９０へ移る。一方、判定結果が正しくない場合、制御部４０は、不正解の回数を１つ増す。この場合、色処理装置１００Ａの処理は、ステップＳ２７０へ移る。
【００９３】
ステップＳ２７０では、制御部４０は、不正解の回数が所定値以上か否かを判定する。不正解の回数が所定値より小さい場合、色処理装置１００Ａの処理は、ステップＳ２８０へ移る。一方、不正解の回数が所定値以上の場合、色処理装置１００Ａの処理は、ステップＳ３００へ移る。なお、所定値は、要求される色彩感覚検査の精度等に応じて適宜決定されることが好ましい。
【００９４】
次に、ステップＳ２８０では、制御部４０は、ステップＳ２５０での判定結果が正しくない、すなわち対象者は参照色と試験色とを見分けることができなかった場合、色覚強度ｋPの値を増加させる。例えば、制御部４０は、０から１の範囲内において、０．１等の間隔や、予め設定された間隔で色覚強度ｋPの値を増加させる。そして、制御部４０は、増加させた色覚強度ｋPの値を第２変換部３０ａに出力する。この場合、色処理装置１００Ａの処理はステップＳ２１０へ移る。
【００９５】
ステップＳ２９０では、制御部４０は、ステップＳ２５０での判定結果が正しい、すなわち対象者は参照色と試験色とを見分けることができた場合、色覚強度ｋPの値を低減する。例えば、制御部４０は、０から１の範囲内において、０．１等の間隔や、予め設定された間隔で色覚強度ｋPの値を低減する。そして、制御部４０は、低減した色覚強度ｋPの値を第２変換部３０ａに出力する。この場合、色処理装置１００Ａの処理は、ステップＳ２１０へ移る。
【００９６】
ステップＳ３００では、制御部４０は、変化させたｋPの履歴から対象者の色覚強度を決定する。なお、ｋPの決定方法は、上下法による折り返し点の平均値をとる方法等が用いられてもよく、ステップＳ２６０において無作為にｋPを変化させた結果の正答率の分布からｋPを決定する方法等でもよい。制御部４０は、決定した色覚強度ｋPの値を含む検査の結果を、出力装置３００に出力する。そして、色処理装置１００Ａは、色処理を終了する。
【００９７】
以上、図４から図６に示した実施形態では、色処理装置１００Ａは、Ｐ型色覚、Ｄ型色覚およびＴ型色覚の各々の色覚強度を用いて、Ｐ型色覚、Ｄ型色覚またはＴ型色覚の色覚と正常色覚者の色覚とを加重加算することにより、人の色覚を式（８）から式（１０）で表す。これにより、色処理装置１００Ａは、色覚のタイプと色覚強度とに応じた色処理を、従来と比べて精度良く実行でき、対象者の色覚のタイプと色覚強度とを精度良く決定できる。
【００９８】
図７は、色処理装置の別の実施形態を示す。図１で説明した要素と同一または同様の機能を有する要素については、同一または同様の符号を付し、これらについては、詳細な説明を省略する。
【００９９】
図７に示した色処理装置１００Ｂは、例えば、ＣＰＵ等の演算処理装置と、ハードディスク装置等の記憶装置とを有するコンピュータ装置である。また、色処理装置１００Ｂは、有線または無線を介して、入力装置２００および出力装置３００に接続される。そして、色処理装置１００Ｂは、入力装置２００および出力装置３００と協働して、出力システム、色覚補正画像処理システム、または色覚シミュレーション画像処理システムとして動作する。
【０１００】
色処理装置１００Ｂは、コンピュータ装置の演算処理装置が記憶装置に記憶される色処理プログラムを実行することにより、第１変換部１０ａ、第２変換部３０ｂおよび制御部４０ａとして動作する。なお、色処理装置１００Ｂが出力システム、色覚補正画像処理システム、または色覚シミュレーション画像処理システムとして動作する場合、所定の色差が“０”に設定される。このため、図７に示した色処理装置１００Ｂでは、算出部２０が省略される。
【０１０１】
第１変換部１０ａは、例えば、入力装置２００および制御部４０ａを介して、色文字等の文章や画像を含む印刷物、デジタルカメラ等で撮像された画像、またはナビゲーションで用いられる地図等のデータを取得する。第１変換部１０ａは、色覚のタイプと色覚の度合いを示す色覚強度とに応じて、取得したデータに含まれる色のＸＹＺ表色系における三刺激値を、ＡＴＤ色空間のＡＴＤ成分に変換する。
【０１０２】
なお、例えば、画像の画素値等がＲＧＢで与えられている場合、第１変換部１０ａは、ＲＧＢからＸＹＺ表色系の三刺激値に変換することが好ましい。また、第１変換部１０ａの色覚のタイプおよび色覚強度は、入力装置２００を用いて入力されてもよい。また、印刷物や画像等は、色処理装置１００Ｂに含まれる入出力インタフェースやネットワークインタフェースを介して、外部の装置やネットワーク等から取得されてもよい。
【０１０３】
第２変換部３０ｂは、第１変換部１０ａにより変換された画像等のデータのＡＴＤ成分を、第１変換部１０と異なる色覚のタイプと色覚強度とに応じたＸＹＺ表色系の三刺激値に変換する。なお、第２変換部３０の色覚のタイプおよび色覚強度は、入力装置２００を用いて入力されてもよい。
【０１０４】
制御部４０ａは、色処理装置１００の各部の動作を制御する。例えば、制御部４０ａは、第２変換部３０ａにより変換された画像等のデータの色の三刺激値に対して出力装置３００に応じたｓＲＧＢ等の色調整を実行し、色調整した画像等のデータを出力装置３００に出力する。また、制御部４０ａは、入力装置２００および出力装置３００と、色処理装置１００Ｂとの間のデータの送受信を制御する。
【０１０５】
図８は、図７に示した色処理装置１００Ｂにおける色処理の一例を示す。図８に示した処理は、色処理装置１００Ｂが色処理プログラムを実行することにより実現される。すなわち、図８は、色処理プログラムおよび色処理方法の別の実施形態を示す。なお、図８に示した処理は、色処理装置１００Ｂに搭載されるハードウェアにより実現されてもよい。この場合、図７に示した第１変換部１０ａ、第２変換部３０ｂおよび制御部４０ａは、色処理装置１００Ｂに配置される回路により実現される。
【０１０６】
なお、図８に示した処理は、画像の場合について説明するが、色文字等を含む印刷物や地図等の場合でも同様である。また、図８に示した処理では、正常色覚者が見ると、Ｐ型色覚の人が感じる色差を正常色覚者が感じるように変換処理を実行する場合について説明する。しかしながら、正常色覚者が見ると、Ｄ型色覚またはＴ型色覚の人が感じる色差を正常色覚者が感じるように変換処理を実行する場合、またはＰ型色覚、Ｄ型色覚、Ｔ型色覚の人が見ると、正常色覚の人が感じる色差をＰ型色覚、Ｄ型色覚、Ｔ型色覚の人が感じるように変換処理を実行する場合についても、図８に示した処理と同様である。
【０１０７】
ステップＳ４００では、制御部４０ａは、入力装置２００を介して処理対象の画像のデータを取得する。制御部４０ａは、取得した画像等のデータを第１変換部１０ａに出力する。なお、制御部４０ａは、入力装置２００を介して、画像のデータとともに、変換元の色覚のタイプおよび色覚強度と、変換先の色覚のタイプおよび色覚強度とを取得してもよい。この場合、制御部４０ａは、取得した画像のデータと、取得した変換元の色覚のタイプおよび色覚強度とを第１変換部１０ａに出力し、取得した変換元の色覚のタイプおよび色覚強度を第２変換部３０ｂに出力する。
【０１０８】
次に、ステップＳ４１０では、第１変換部１０ａは、ステップＳ４００で取得した画像の各画素値の三刺激値ＸＹＺをＪｕｄｄ変換して三刺激値Ｘ’Ｙ’Ｚ’を求める。第１変換部１０ａは、変換元としてＰ型色覚のタイプと色覚強度ｋPとの式（８）と、式（１）とを用いて、Ｊｕｄｄ変換した各画素値の三刺激値Ｘ’Ｙ’Ｚ’をＡＴＤ色空間のＡＴＤ成分に変換する。
【０１０９】
なお、第１変換部１０ａは、対象色の三刺激値ＸＹＺをＡＴＤ成分に変換するにあたり、対象色の三刺激値ＸＹＺをＪｕｄｄ変換したが、Ｊｕｄｄ変換を省略してもよい。
【０１１０】
次に、ステップＳ４２０では、第２変換部３０ｂは、変換先の色覚として正常色覚者の色覚のタイプおよび色覚強度ｋPに応じた式（８）と、式（１）とを用いて、ステップＳ４１０で変換された各画素値のＡＴＤ成分をＸＹＺ表色系の三刺激値に変換する。
【０１１１】
ステップＳ４３０では、制御部４０ａは、ステップＳ４２０で変換された画像の三刺激値を出力装置３００に応じたｓＲＧＢ等の色調整を実行し、出力装置３００に出力する。そして、色処理装置１００Ｂは、色処理を終了する。
【０１１２】
以上、図７および図８に示した実施形態では、色処理装置１００Ｂは、Ｐ型色覚、Ｄ型色覚およびＴ型色覚の各々の色覚強度を用いて、Ｐ型色覚、Ｄ型色覚またはＴ型色覚の色覚と正常色覚者の色覚とを加重加算することにより、人の色覚を式（８）から式（１０）で表す。これにより、色処理装置１００は、色覚のタイプと色覚強度とに応じた色処理を、従来と比べて精度良く実行することができる。
【０１１３】
また、色処理装置１００Ｂは、色文字等の文章や画像を含む印刷物やナビゲーションで用いられる地図等の作成にあたり、色覚のタイプに応じて印刷物や地図等の見え方を、予めシミュレーションすることができる。これにより、色処理装置１００Ｂは、シミュレーションの結果に応じて、色の配置や明るさ等を調整することにより、様々な色覚の人に対しても見やすい印刷物や地図等を、従来と比べて容易に作成できる。また、色処理装置１００Ｂは、シミュレーションの結果に基づいて、様々なタイプの色覚の人の見え方を理解することができ、コミュニケーションの向上を図ることができる。
【０１１４】
また、色処理装置１００Ｂは、Ｐ型色覚の人が見ると、正常色覚者が感じる色差をＰ型色覚の人が感じるように、画像や地図等に対して変換処理を実行することにより、Ｐ型色覚等の人は、ディスプレイ等に表示またはプリンタ等に印刷された画像や地図等の色を容易に見分けることができる。
【０１１５】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【０１１６】
１０，１０ａ…第１変換部；２０…算出部；３０，３０ａ，３０ｂ…第２変換部；４０，４０ａ…制御部；１００，１００Ａ，１００Ｂ…色処理装置；２００…入力装置；３００…出力装置
【図１】
2018207675.tif 000009
【図２】
2018207675.tif 000010
【図３】
2018207675.tif 000011
【図４】
2018207675.tif 000012
【図５】
2018207675.tif 000013
【図６】
2018207675.tif 000014
【図７】
2018207675.tif 000015
【図８】
2018207675.tif 000016
【手続補正書】
【提出日】令和1年10月9日(2019.10.9)
【手続補正１】
【補正対象書類名】明細書
【補正対象項目名】０１０３
【補正方法】変更
【補正の内容】
【０１０３】
第２変換部３０ｂは、第１変換部１０ａにより変換された画像等のデータのＡＴＤ成分を、第１変換部１０ａと異なる色覚のタイプと色覚強度とに応じたＸＹＺ表色系の三刺激値に変換する。なお、第２変換部３０ｂの色覚のタイプおよび色覚強度は、入力装置２００を用いて入力されてもよい。
【手続補正２】
【補正対象書類名】明細書
【補正対象項目名】０１０４
【補正方法】変更
【補正の内容】
【０１０４】
制御部４０ａは、色処理装置１００Ｂの各部の動作を制御する。例えば、制御部４０ａは、第２変換部３０ｂにより変換された画像等のデータの色の三刺激値に対して出力装置３００に応じたｓＲＧＢ等の色調整を実行し、色調整した画像等のデータを出力装置３００に出力する。また、制御部４０ａは、入力装置２００および出力装置３００と、色処理装置１００Ｂとの間のデータの送受信を制御する。
【手続補正３】
【補正対象書類名】明細書
【補正対象項目名】０１０７
【補正方法】変更
【補正の内容】
【０１０７】
ステップＳ４００では、制御部４０ａは、入力装置２００を介して処理対象の画像のデータを取得する。制御部４０ａは、取得した画像等のデータを第１変換部１０ａに出力する。なお、制御部４０ａは、入力装置２００を介して、画像のデータとともに、変換元の色覚のタイプおよび色覚強度と、変換先の色覚のタイプおよび色覚強度とを取得してもよい。この場合、制御部４０ａは、取得した画像のデータと、取得した変換元の色覚のタイプおよび色覚強度とを第１変換部１０ａに出力し、取得した変換先の色覚のタイプおよび色覚強度を第２変換部３０ｂに出力する。
【手続補正４】
【補正対象書類名】明細書
【補正対象項目名】０１１２
【補正方法】変更
【補正の内容】
【０１１２】
以上、図７および図８に示した実施形態では、色処理装置１００Ｂは、Ｐ型色覚、Ｄ型色覚およびＴ型色覚の各々の色覚強度を用いて、Ｐ型色覚、Ｄ型色覚またはＴ型色覚の色覚と正常色覚者の色覚とを加重加算することにより、人の色覚を式（８）から式（１０）で表す。これにより、色処理装置１００Ｂは、色覚のタイプと色覚強度とに応じた色処理を、従来と比べて精度良く実行することができる。
【手続補正５】
【補正対象書類名】特許請求の範囲
【補正対象項目名】請求項１４
【補正方法】変更
【補正の内容】
【請求項１４】
請求項１０ないし請求項１３のいずれか１項に記載の出力システムにおいて、
前記第２色空間がＡＴＤ空間であることを特徴とする出力システム。
【手続補正６】
【補正対象書類名】図面
【補正対象項目名】図８
【補正方法】変更
【補正の内容】
【図８】
2018207675.tif 000017
【国際調査報告】
2018207675.tif 000018
2018207675.tif 000019
2018207675.tif 000020
2018207675.tif 000021